(57)【要約】【課題】  光ファイバの接続作業などの際に光ファイバに対する悪影響を防ぐことができ、かつ高密度実装が可能となる光モジュールおよび光配線盤を提供する。【解決手段】  ケース状のモジュール本体２と、このモジュール本体２の前側部２ａに取り付けられ、接続用光ファイバ４をコネクタ接続可能に成端する光コネクタアダプタ３とを有する光モジュール１。モジュール本体２内には、接続用光ファイバ４とケーブル側光ファイバ４２との融着接続部１７を収納する接続部収納ケース５が組み込まれている。接続部収納ケース５は、光コネクタアダプタ３が取り付けられている前側部２ａからモジュール本体２外への引出しおよびモジュール本体２内への押込みが可能である。【選択図】  図１
2006106593.tif 000002
【特許請求の範囲】
【請求項１】
ケース状のモジュール本体と、このモジュール本体の側部に取り付けられ、前記モジュール本体内の光ファイバをコネクタ接続可能に成端する光コネクタとを有し、
前記モジュール本体内には、前記モジュール本体内の光ファイバと外部の光ファイバとの接続部を収納する接続部収納ケースが組み込まれ、
該接続部収納ケースは、前記光コネクタが取り付けられている側部からモジュール本体外への引出しおよびモジュール本体内への押込みが可能であることを特徴とする光モジュール。
【請求項２】
前記接続部収納ケースに、前記光ファイバどうしの融着接続部が収納されていることを特徴とする請求項１に記載の光モジュール。
【請求項３】
前記モジュール本体内に、このモジュール本体内の光ファイバの引出余長を収納する引出余長収納部が設けられていることを特徴とする請求項１または２に記載の光モジュール。
【請求項４】
前記モジュール本体内に、回線識別情報が記録された情報記録部が設けられたスライド部材が、前記光コネクタが取り付けられている側部から引出し可能に収納されていることを特徴とする請求項１〜３のうちいずれか１項に記載の光モジュール。
【請求項５】
請求項１〜４のうちいずれか１項に記載の光モジュールと、該光モジュールを収納するフレームを有することを特徴とする光配線盤。
【発明の詳細な説明】
【技術分野】
【０００１】
本発明は、光モジュールおよびこれを用いた光配線盤に関する。
【背景技術】
【０００２】
光モジュールを備えた光配線盤は、光ファイバの余長処理や切替接続の作業性の点で優れており、対応心数の増大にも対応できるため、広く用いられている。
光モジュールを備えた光配線盤としては、フレームの一方の面から光モジュールの操作を行う構造のものと（以下、片面保守型構造という）、フレームの両面から光モジュールの操作を行う構造のものとがある（以下、両面保守型構造という）（例えば特許文献１〜３を参照）。
なかでも、片面保守型構造の光配線盤は、省スペース化が可能となるため広く用いられている。
【０００３】
光モジュールは、通常、ケース状のモジュール本体と、モジュール本体に取り付けられた光コネクタとを備えている。
光モジュールでは、モジュール本体内に接続用光ファイバが設置され、接続用光ファイバの一端は、光コネクタによってコネクタ接続可能に成端される。接続用光ファイバの他端は、融着接続などにより外部の光ファイバに接続される。
【０００４】
光モジュールとしては、光ファイバの接続部および光ファイバ余長が内部に収容される構造のものと、これらが内部に収容されない構造のものとがある。
接続部が内部に収容される構造の光モジュールを有する光配線盤では、光ファイバ接続作業、および接続部等を収容する作業は、光モジュールを光配線盤から引出し、モジュール本体を開放して行われる。作業終了後には、モジュール本体を閉じた後、この光モジュールを再び光配線盤に収納する。
接続部が内部に収容されない構造の光モジュールを有する光配線盤では、接続部等は、光配線盤に設けられた専用の収納ユニットに収納される。
【特許文献１】特開２００３−２１５３５３号公報
【特許文献２】特開２００１−４８４８号公報
【特許文献３】特開２００１−１２４９３６号公報
【発明の開示】
【発明が解決しようとする課題】
【０００５】
しかしながら、従来の光配線盤では、次に示す問題があった。
接続部が内部に収容される構造の光モジュールを有する光配線盤では、光ファイバの接続作業の後に光モジュールを動かすことが必要となるため、接続済みの光ファイバに悪影響が及ぶおそれがある。
また、十分な光ファイバ余長が必要となるため、この余長を収納するためのスペースを光配線盤内または光モジュール内に設ける必要があり、高密度実装化の点で不利である。
接続部が内部に収容されない構造の光モジュールを有する光配線盤では、接続部収納用の収納ユニットを光配線盤内に設置することになるため、高密度実装が難しい。
本発明は、上記事情に鑑みてなされたものであって、光ファイバの接続作業などの際に光ファイバに対する悪影響を防ぐことができ、かつ高密度実装が可能となる光モジュールおよび光配線盤を提供することを目的とする。
【課題を解決するための手段】
【０００６】
請求項１に係る光モジュールは、ケース状のモジュール本体と、このモジュール本体の側部に取り付けられ、前記モジュール本体内の光ファイバをコネクタ接続可能に成端する光コネクタとを有し、前記モジュール本体内に、前記モジュール本体内の光ファイバと外部の光ファイバとの接続部を収納する接続部収納ケースが組み込まれ、該接続部収納ケースは、前記光コネクタが取り付けられている側部からモジュール本体外への引出しおよびモジュール本体内への押込みが可能であることを特徴とする。
請求項２に係る光モジュールは、請求項１において、前記接続部収納ケースに、前記光ファイバどうしの融着接続部が収納されていることを特徴とする。
請求項３に係る光モジュールは、請求項１または２において、前記モジュール本体内に、このモジュール本体内の光ファイバの引出余長を収納する引出余長収納部が設けられていることを特徴とする。
請求項４に係る光モジュールは、請求項１〜３のうちいずれか１項において、前記モジュール本体内に、回線識別情報が記録された情報記録部が設けられたスライド部材が、前記光コネクタが取り付けられている側部から引出し可能に収納されていることを特徴とする。
【０００７】
請求項５に係る光配線盤は、請求項１〜４のうちいずれか１項に記載の光モジュールと、該光モジュールを収納するフレームを有することを特徴とする。
【発明の効果】
【０００８】
本発明の光モジュールは、次に示す効果を奏する。
（１）接続部収納ケースが、モジュール本体に対して出し入れ可能になっているので、接続部収納ケースをモジュール本体から引き出した状態で、光ファイバの接続などの作業を行うことができる。
モジュール本体の移動や開放などの操作が必要ないため、光ファイバの移動を最小限に抑えることができる。
このため、光モジュールの移動が必要となる従来技術に比べ、接続済みの光ファイバに無理な力が加えられるのを防ぐことができる。
従って、光ファイバへの悪影響を防ぐことができる。
（２）光モジュールを光配線盤から引き出すことなく接続作業等が可能となるため、光ファイバの余長を短くすることができる。
従って、余長の収納スペースを小さくすることができ、高密度実装化の点で有利である。
【発明を実施するための最良の形態】
【０００９】
図１は本発明の光モジュールの一例である光モジュール１の内部構造を示す図、図２は光モジュール１の接続部収納ケース５を示す斜視図、図３（ａ）は光モジュール１の側面図、図３（ｂ）は光モジュール１の正面図、図４は光モジュール１を用いた光配線盤３１の正面図、図５は光配線盤３１の成端ユニット３２の正面図、図６は成端ユニット３２の側面図である。
以下の説明において、図１における右方を前方といい、左方を後方と呼ぶことがある。
【００１０】
図４〜図６に示すように、光配線盤３１は、複数の成端ユニット３２がフレーム３３内に多段に設けられている。成端ユニット３２は、複数の光モジュール１が縦置きにした状態で横並びに収納された構成を有する。
【００１１】
図１〜図３に示すように、光モジュール１は、ケース状のモジュール本体２と、モジュール本体２の前側部２ａに取り付けられた光コネクタアダプタ３（光コネクタ）と、モジュール本体２内に組み込まれた接続部収納ケース５と、モジュール本体２内に組み込まれたスライド部材６とを備えている。
【００１２】
モジュール本体２は、トレイ部１１と、トレイ部１１の後側部１１ａにヒンジ接続された蓋部１２とからなる。
トレイ部１１内には、前後方向に沿う隔壁１３が設けられ、トレイ部１１の内部は、隔壁１３によって主部１４と引出余長収納部１５とに区画されている。
主部１４内には、モジュール本体２内に内蔵された接続用光ファイバ４が巻き付けられる円筒状のガイド壁１４ａが設けられている。
引出余長収納部１５は、接続用光ファイバ４の余長（以下、引出余長４ａという）を収納するものであり、接続用光ファイバ４が巻き付けられる円筒状のガイド壁１５ａが設けられている。
【００１３】
光コネクタアダプタ３は、モジュール本体２内の接続用光ファイバ４の一端をコネクタ接続可能に成端するものであり、モジュール本体２の主部１４の前側部１４ｂに設けられている。
接続用光ファイバ４の他端は、融着接続部１７でケーブル側光ファイバ４２に融着接続されている。
なお、接続用光ファイバ４とケーブル側光ファイバ４２との接続は、融着接続に限定されない。光ファイバ４、４２がいずれも光コネクタによって成端されている場合には、光コネクタを介した接続（コネクタ接続）を採用できる。
【００１４】
図２に示すように、接続部収納ケース５は、ケース本体１８と、ケース本体１８の前端から略前方に延出する引出し片１９とを備えている。
ケース本体１８は、底板１８ａと、その両側縁からそれぞれ上方に延びる側板１８ｂとを備えた断面コ字形に形成され、内部に融着接続部１７を収納できるようになっている。
引出し片１９は、平板状の平板部１９ａと、その前端から下方に湾曲しつつ前方に延びる湾曲部１９ｂとを備えている。
【００１５】
ケース本体１８内には、接続用光ファイバ４を保持するガイド部２０を設けるのが好ましい。
図示例では、ガイド部２０は略矩形板状とされ、上辺の中央部から下方に向けて、接続用光ファイバ４が通過できる幅のスリット２０ａが形成されている。スリット２０ａは、融着接続部１７の外径より小さい幅となるよう形成されており、接続用光ファイバ４の長さ方向の移動を規制することができるようになっている。
ガイド部２０は、ケース本体１８の長さ方向に間隔をおいて２つ形成し、これらの間に融着接続部１７を配置できるようにするのが好ましい。
【００１６】
接続部収納ケース５は、前後方向に移動可能となっており、モジュール本体２の前側部２ａからモジュール本体２外への引出し、およびモジュール本体２内への押込みが可能である。
図１には、ケース本体１８がモジュール本体２内に位置し、引出し片１９の先端部が前側部２ａからモジュール本体２外に突出した状態を実線で示す。この接続部収納ケース５の位置を収納位置という。
また、接続部収納ケース５がモジュール本体２から引き出された状態を２点鎖線で示す。この接続部収納ケース５の位置を引出位置という。
接続部収納ケース５は、前後方向に沿って隔壁１３の上面（主部１４側の面）に載置されており、モジュール本体２の前側部２ａに形成された光ファイバ挿通口２１を通して、モジュール本体２に対し引出しおよび押込みができるようになっている。
【００１７】
スライド部材６は、略四角柱状に形成され、その前端面には、回線識別情報が記録された情報記録部６ａが設けられている。
スライド部材６は、前後方向に移動可能となっており、モジュール本体２の前側部２ａからモジュール本体２に対して出し入れ自在となっている。
図１に実線で示すように、スライド部材６は、後部がモジュール本体２内に収納された位置から、２点鎖線で示すように、前方に引き出された位置まで移動可能になっている。
【００１８】
次に、光モジュール１における配線について説明する。
図４に示すように、光配線盤３１に引き込まれた光ケーブル４１から引き出されたケーブル側光ファイバ４２（外部の光ファイバ）は、成端ユニット３２内の光モジュール１に引き込まれている。
図１に示すように、ケーブル側光ファイバ４２は、接続部収納ケース５の引出し片１９上を経て、光ファイバ挿通口２１を通してモジュール本体２内に至り、接続部収納ケース５のケース本体１８内の融着接続部１７において接続用光ファイバ４に接続されている。
接続用光ファイバ４は、接続部収納ケース５から引出余長収納部１５のガイド壁１５ａを経て主部１４に至る。
主部１４内において、接続用光ファイバ４は単心分岐され、光コネクタアダプタ３に接続されている。
一方、他の光ケーブル４３から引き出された光ファイバ４４（他の光ファイバ）は、光モジュール１の光コネクタアダプタ３に切替可能に接続される。
これによって、光ファイバ４４は、接続用光ファイバ４を介してケーブル側光ファイバ４２に接続される。
【００１９】
ケーブル側光ファイバ４２としては、ここでは多心のテープ心線を例示するが、単心の光ファイバ心線、光コード等も採用可能である。
光ファイバ４４は、先端が光コネクタ４５（光コネクタプラグ）によりコネクタ接続可能に成端された光コードを例示できる。光ファイバ４４先端の光コネクタとしては、例えば、ＪＩＳ Ｃ ５９７３に制定されるＳＣ形光コネクタ（Single fiber Coupling optical fiber connector）、ＳＣ２形光コネクタ、ＪＩＳ Ｃ ５９８３に制定されるＭＵ形光コネクタ（Miniature-Unit coupling optical fiber connector）等の光コネクタプラグが採用される。
【００２０】
次に、光モジュール１の使用方法の一例を説明する。
ケーブル側光ファイバ４２を、融着によって接続用光ファイバ４に接続するには、次の方法をとることができる。
あらかじめ接続用光ファイバ４の端部を、接続部収納ケース５のケース本体１８内に配置しておく。
引出し片１９を前方に引くことによって、収納位置にある接続部収納ケース５をモジュール本体２から引き出し、引出位置まで移動させる。これによって、接続用光ファイバ４（引出余長４ａ）もモジュール本体２から引き出される。
引き出された接続用光ファイバ４の端部と、ケーブル側光ファイバ４２の端部とを融着接続する。これによって、光ファイバ４、４２が融着接続部１７で接続される。
次いで、融着接続部１７をケース本体１８内に配置し、接続部収納ケース５を光ファイバ挿通口２１を通してモジュール本体２内に導入する。
【００２１】
光モジュール１の回線識別情報を読みとる際には、スライド部材６を前方に引き出した状態で、情報記録部６ａの読みとりを行う。
【００２２】
光モジュール１は、次に示す効果を奏する。
（１）接続部収納ケース５が、モジュール本体２に対して出し入れ可能になっているので、接続部収納ケース５をモジュール本体２から引き出した状態で、光ファイバ４、４２の接続などの作業を行うことができる。
モジュール本体２の移動や開放などの操作が必要ないため、光ファイバ４、４２の移動を最小限に抑えることができる。
このため、光モジュールの移動が必要となる従来技術に比べ、接続済みの光ファイバ４、４２に無理な力が加えられるのを防ぐことができる。
従って、光ファイバ４、４２への悪影響を防ぐことができる。
また、光モジュール移動に伴う振動などにより他の光モジュールの光ファイバに悪影響が及ぶのを防ぐことができる。
（２）光モジュール１を成端ユニット３２から引き出すことなく接続作業等が可能となるため、接続用光ファイバ４の余長を短くすることができる。
従って、余長の収納スペースを小さくすることができ、高密度実装化の点で有利である。
これに対し、従来の光モジュールでは、光モジュールの引出しや開放のため、より長い余長が必要となることから、光モジュール内または光配線盤内に余長収納用の大きなスペースが必要となる。
（３）光モジュール１を成端ユニット３２から引き出すことなく接続作業等が可能となるため、作業の効率化が可能となる。
（４）接続部収納ケース５が、モジュール本体２の前側部２ａから出し入れできるようになっているので、光コネクタアダプタ３に対する光ファイバ４４の接続作業と同様に、光配線盤３１の前面側で接続作業等を行うことができる。
従って、さらなる作業の効率化を図ることができる。
（５）接続部収納ケース５が、モジュール本体２内に押込むことができるようになっているので、融着接続部１７を収納する収納ユニットを光モジュール１の外部に設ける必要がない。従って、光配線盤３１における高密度実装化を図ることができる。
（６）接続用光ファイバ４の引出余長４ａを収納する引出余長収納部１５を備えているので、引出余長４ａを収納する収納ユニットを外部に設ける必要がない。
従って、いっそうの高密度実装化が可能である。
（７）接続部収納ケース５にガイド部２０を設けることによって、接続用光ファイバ４を接続部収納ケース５に確実に保持させることができる。
このため、接続部収納ケース５をモジュール本体２から引き出すことによって、接続用光ファイバ４をモジュール本体２から確実に引き出すことができる。
従って、接続作業などを効率的に行うことができる。
（８）情報記録部６ａが設けられたスライド部材６が、前側部２ａから引き出し可能とされているので、回線識別情報の読みとり作業が容易となる。
【図面の簡単な説明】
【００２３】
【図１】本発明の光モジュールの一例の内部構造を示す概略構成図である。
【図２】図１に示す光モジュールの接続部収納ケースを示す斜視図である。
【図３】図１に示す光モジュールを示すもので、（ａ）は側面図であり、（ｂ）は正面図である。
【図４】図１に示す光モジュールを用いた光配線盤の正面図である。
【図５】図４に示す光配線盤の成端ユニットの正面図である。
【図６】図４に示す光配線盤の成端ユニットの側面図である。
【符号の説明】
【００２４】
１…光モジュール、２…モジュール本体、２ａ…前側部（光コネクタが取り付けられている側部）、３…光コネクタアダプタ（光コネクタ）、４…接続用光ファイバ（モジュール本体内の光ファイバ）、４ａ…引出余長（モジュール本体内の光ファイバの余長）、５…接続部収納ケース、６…スライド部材、６ａ…情報記録部、１５…引出余長収納部、１７…融着接続部、４２…ケーブル側光ファイバ（外部の光ファイバ）
【図１】
2006106593.tif 000003
【図２】
2006106593.tif 000004
【図３】
2006106593.tif 000005
【図４】
2006106593.tif 000006
【図５】
2006106593.tif 000007
【図６】
2006106593.tif 000008